(57)【要約】【課題】肌の色の評価、凹凸の記録等の個々の撮影目的に適した画像を撮るために最適な照明環境を、簡便な装置構成で実現する。【解決手段】照明装置１が、被写体Ｐを囲む可搬性の筐体１０、筐体１０内で被写体Ｐの撮影部位を、該撮影部位の少なくとも上下左右の４方向から照明することのできる複数の光源２０（２１、２２、２３、２４）、及び前記複数の光源の点灯又は消灯を独立的に切り替えることのできるスイッチからなる。【選択図】    図１
2004251750.tif 000002
【特許請求の範囲】
【請求項１】
被写体を囲む筐体、
筐体内で被写体の撮影部位を、該撮影部位の少なくとも上下左右の４方向から照明することのできる複数の光源、及び
前記複数の光源の点灯又は消灯を独立的に切り替えることのできるスイッチ
からなる照明装置。
【請求項２】
筐体の内部に、被写体から見て正面壁の周縁部に複数の光源が設けられている請求項１記載の照明装置。
【請求項３】
前記複数の光源と、被写体の撮影部位との間に偏光板が設けられる請求項１記載の照明装置。
【請求項４】
筐体の内部壁面が反射板からなり、該反射板上を覆うことのできる着脱可能な光吸収材を備えている請求項１記載の照明装置。
【請求項５】
筐体が、分解又は折り畳み可能で可搬性を有する請求項１記載の照明装置。
【請求項６】
筐体内の所定の位置に被写体の撮影部位を固定する固定部材を備えている請求項１記載の照明装置。
【発明の詳細な説明】
【０００１】
【発明の属する技術分野】
本発明は、被験者の画像を撮影するにあたり、肌の色の評価、凹凸の記録等の画像の撮影目的に適した照明を簡便に作ることのできる照明装置に関する。
【０００２】
【従来の技術】
美容カウンセリングを行う場合、被験者の顔をカメラで撮影し、その画像を元に顔の輪郭、凹凸、肌の色等を評価することがなされている。
【０００３】
このような顔の撮影においては、顔面にある凹凸によって照明の当たり方にムラが生じ、画像に陰影が写り、皮膚表面のシミ、ソバカス等の正確な評価が妨げられるので、リング状の光源をリフレクタやデフューザと共に使用することが提案されている（特許文献１）。また、人物写真の撮影にあたり、均一に照明するために多数の照明灯が用いられている（特許文献２）。
【０００４】
一方、皮膚の表面反射光から得られる凹凸情報によって皮膚の質感を評価することがなされているが、この質感の評価のために、皮膚への照射光の入射角と皮膚からの反射光の受光角との組合せを変えることが提案されている（特許文献３）。
【０００５】
【特許文献１】特開平７−１２５４４号公報
【特許文献２】特開平１０−２７１４２３号公報
【特許文献３】特開２００２−１７６８９号公報
【０００６】
【発明が解決しようとする課題】
しかしながら、肌の色の評価、凹凸の記録等の個々の撮影目的毎に、最適な照明環境を形成し、再現することは容易でなく、まして、店頭における仮設の美容カウンセリングデスクや訪問カウンセリング等において、個々の撮影目的毎に照明環境を最適化することは困難を極めていた。
【０００７】
これに対し、本発明は、肌の色の評価、凹凸の記録等の個々の撮影目的に適した画像を撮るために最適な照明環境を、簡便な装置構成で、安定的に繰り返し実現できるようにすることを目的とする。
【０００８】
【課題を解決するための手段】
上述の目的を達成するため、本発明は、被写体を囲む筐体、
筐体内で被写体の撮影部位を、該撮影部位の少なくとも上下左右の４方向から照明することのできる複数の光源、及び
前記複数の光源の点灯又は消灯を独立的に切り替えることのできるスイッチ
からなる照明装置を提供する。
【０００９】
特に、この照明装置の好ましい態様として、上述の複数の光源と、被写体の撮影部位との間に偏光板が設けられる態様、筐体の内部壁面が反射板からなり、この反射板上を覆うことのできる着脱可能な光吸収材を備えている態様、筐体が、分解又は折り畳み可能で可搬性を有する態様を提供する。
【００１０】
この照明装置によれば、被写体の撮影部位を、その撮影部位の少なくとも上下左右の４方向から照明することのできる複数の光源について、それらの点灯箇所、点灯箇所の組合せ、数、照明強度等を任意に切り替えることができる。さらに、筐体の内部壁面の構成材を選択することによって、筐体内での反射条件を制御することができる。したがって、例えば、画像から色情報を観察する場合には、被写体の撮影部位から見て上下左右に位置する光源を全て点灯し、筐体の内部壁面に反射板を露出させることにより、撮影部位がその周囲の全方向から均一に照明されるようにして陰影を極力抑制した画像を得ることができる。また、画像から凹凸情報を観察する場合には、撮影部位の一方向のみから照明し、筐体の内部壁面を光吸収材で覆うことにより、陰影を強調した画像を得ることができる。このように撮影目的に適した画像を撮るために、照明環境を最適化することができる。
【００１１】
さらに、筐体を分解又は折り畳み可能とし、可搬性をもたせることにより、個々の撮影目的に応じて最適化した照明環境を、店頭の仮設の美容カウンセリングデスクや訪問カウンセリング等においても容易に得ることができる。
【００１２】
【発明の実施の形態】
以下、図面を参照しつつ、本発明を詳細に説明する。なお、各図中、同一符号は、同一又は同等の構成要素を表している。
【００１３】
図１は、本発明の一実施例の照明装置１の模式的な切り欠き斜視図（ａ）と断面図（ｂ）である。この照明装置１は、被写体Ｐを囲むことのできる筐体１０、筐体内１０で被写体を照明する光源２０（２１、２２、２３、２４）、及び個々の光源２０の点灯、消灯及び照明強度を独立的に切り替えることのできるスイッチ（図示せず）からなっている。
【００１４】
筐体１０は、正面板１１、背面板１２、上板１３、底板１４、左右の側板１５、１６を組み立て、キャスター付の脚部２を取り付けたものであり、分解、折りたたみが容易で可搬性を有する。したがって、この照明装置１は、店頭における仮設の美容カウンセリングデスクや訪問カウンセリング等において、特に利便性を発揮する。
【００１５】
筐体１０を構成するこれらの板状部材は、それぞれ筐体１０の内部壁面となる表面が白色アクリル板、白色スチロール板等の白色反射板で形成されている。
【００１６】
また、正面板１１の中央部には、撮影装置３０のレンズ３１用の開口部１１ａが形成されている。なお、被写体Ｐは、該筐体１０内に設けた椅子３にすわって、顔画像等の撮影を受けることができるが、この場合に、顔の正面向き、斜め向き、横向き等の像を複数台の撮影装置を用いて同時に撮影できるように、撮影装置のレンズ用の開口部１１ａは、筐体１０を構成する板状部材の複数箇所に形成してもよい。
【００１７】
光源２０は、正面板１１の白色反射板上の周縁部の上部、下部、両側部に取り付けられた４本の高周波点灯型蛍光灯２１、２２、２３、２４からなっている。これら４本の蛍光灯２１、２２、２３、２４は、点灯、消灯及び照明強度を独立的に切り替えることができるので、被写体Ｐの撮影部位を、その上下左右の４方向から所望の照明強度で適宜照明することが可能となる。
【００１８】
これらの蛍光灯２１、２２、２３、２４の被写体Ｐ側には、着脱自在に偏光板１７が設けられている。さらに、撮影装置３０のレンズ３１の前面に偏光板１８を、その偏光方向が、蛍光灯２１、２２、２３、２４の前面の偏光板１７と同一又は直交方向に装着できるように用意されている。
【００１９】
また、筐体１０は、各白色反射板を覆うことのできる黒布、黒色ボード等の光吸収材１９を着脱可能に備えており、各白色反射板上に随時取り付けられるようになっている。
【００２０】
筐体１０は、組立後においても背面板１２を図１（ｂ）に矢印で示したように開閉することができるので、被写体Ｐは筐体１０内に出入りすることができる。なお、背面板１２は、横にスライドして開閉する形式にすることもでき、また、白、グレー、黒色等のカーテン、すだれ、暖簾のような形態も可能である。
【００２１】
筐体１０内には、被写体Ｐが所定の位置に座ることのできるよう、椅子３が置かれている。この椅子３には、被写体Ｐの撮影部位の位置ズレあるいはブレを防止する固定部材として、按頭台あるいは顎載せ台を取り付けることが好ましい。また、固定部材は、顔の正面向きあるいは斜め向きの撮影もできるように、回転機構を備えたものが好ましい。
【００２２】
この照明装置１は、被写体Ｐの撮影時に次のように使用することができる。
【００２３】
まず、被写体Ｐの撮影目的が、被写体の肌の色の評価である場合には、画像から陰影をできる限りなくすため、照明光が撮影部位の全周囲方向から当たることが望ましい。そこで、図２（ａ）に示すように、４つの蛍光灯２１、２２、２３、２４を全て点灯し、筐体１０の内部では光吸収材１９を使用することなく、全壁面で白色反射板を露出させる。あるいはさらに、正面板１１の前面に偏光板１７を取り付けると共に、撮影装置３０のレンズ３１の前面に、上述の偏光板１７と直交する偏光方向となるように偏光板１８を装着する。これにより、表面反射光成分が除去された画像を得ることができる。
【００２４】
また、偏光板１８を通った光が側板１５、１６等で反射されると脱偏光され、その脱偏光された光が被写体Ｐを照明するので純粋な偏光撮影は妨げられる。これに対し、より純粋な偏光撮影を行うためには、図２（ａ）の照明よりも撮影部位の正面からの照明を相対的に強めることが好ましい。このような要請に対しては、図２（ｂ）に示すように、正面板１１以外の内部壁面（背面板１２、上板１３、底板１４、左右の側面板１５、１６の内部壁面）を全て光吸収材１９で覆うことができる。
【００２５】
一方、被写体Ｐの撮影目的が、被写体の凹凸情報の記録である場合には、陰影を強調した画像を得るため、図２（ｄ）に示すように、例えば、上一灯の蛍光灯２１のみ点灯し、他の蛍光灯２２、２３、２４は消灯し、筐体１０の内部の壁面を全て光吸収材１９で覆う。あるいはさらに、必要に応じて、正面板１１の前面に偏光板１７を取り付けると共に、撮影装置３０のレンズ３１の前面に、上述の偏光板１７と同じ偏光方向となるように偏光板１８を装着し、表面反射光成分の抽出画像を得る。
【００２６】
また、日常生活での照明に近づけるため、図２（ｃ）のように、上部の蛍光灯２１の他に左右の蛍光灯２３、２４も点灯し、図２（ｄ）の照明よりも撮影部位の周囲からの照明の当たり方を平均化することができる。
【００２７】
この照明装置１によれば、上述の他にも種々の照明条件を選択することができ、例えば、表１のように撮影対象に応じた照明条件とすることができる。
【００２８】
【表１】
2004251750.tif 000003
【００２９】
本発明の照明装置は、筐体内で、被写体の撮影部位を少なくとも上下左右の４方向から照明することのできる複数の光源を設け、かつ、それらの点灯と消灯あるいは強さを独立的に制御できるようにする限り、種々の態様をとることができる。
【００３０】
例えば、図１の照明装置１では、光源として、正面板１１の上下左右の周縁部に各１個ずつの高周波点灯型の蛍光灯があるが、これに加えて、正面板１１の周縁部に複数のストロボを列設してもよく、また、正面板１１の周縁部にハロゲンランプ、ＬＥＤ等の常時点灯型照明灯をリング状に配置してもよい。
【００３１】
【実施例】
実施例１
図１の照明装置において、照明条件を図２（ａ）のように４灯を点灯し、筐体の内部壁面を白色反射板とし、被験者の目尻のシワを撮影した。この場合、蛍光灯としては、直管蛍光灯（松下電器産業（株）、パルック  ナチュラル色（ＦＬ  ２０ＳＳ・ＥＮＷ／１８））を使用した。また、カメラとしては、デジタルカメラ（ニコン（株）、ニコンＤ１）を使用し、その撮影条件は、シャッタースピード１／３０、絞りＦ１３、レンズＭｉｃｒｏ−Ｎｉｋｋｏｒ１０５ｍｍｆ／２．８Ｄとした。
【００３２】
得られた写真を図３に示す。この照明条件によれば、目尻のシワが殆ど観察されないことがわかる。
【００３３】
実施例２
実施例１の照明装置において、照明条件を図２（ｄ）のように上１灯を点灯し、筐体の内部壁面を黒布で覆い、偏光板の利用により表面反射光を抽出した以外は、実施例１と同様にして被験者の目尻を撮影した。
【００３４】
得られた写真を図４に示す。この照明条件によれば、目尻のシワが明瞭に観察されることがわかる。
【００３５】
【発明の効果】
本発明の照明装置によれば、肌の色の評価、凹凸の記録等の個々の撮影目的に適した画像を撮るために最適な照明環境を、簡便な装置構成で、安定的に繰り返し実現することができる。
【図面の簡単な説明】
【図１】照明装置の模式的な切り欠き斜視図（ａ）と断面図（ｂ）である。
【図２】照明装置でとることのできる照明条件の例である。
【図３】実施例１の照明条件により撮った目尻の写真である。
【図４】実施例２の照明条件により撮った目尻の写真である。
【符号の説明】
１    照明装置
１０    筐体
１７    偏光板
１８    偏光板
１９    光吸収材
２０    光源
２１    蛍光灯
２２    蛍光灯
２３    蛍光灯
２４    蛍光灯
３０    撮影装置
３１    レンズ
Ｐ    被写体
【図１】
2004251750.tif 000004
【図２】
2004251750.tif 000005
【図３】
2004251750.tif 000006
【図４】
2004251750.tif 000007